(57)【要約】【課題】テキスト情報を含ませて一旦記録したディスクに対して次回に追記を行う際に、再度に亘ってテキスト情報を取得したり手入力をすること無く、追記時の新たなテキスト情報のみを記録することによって使い勝手を向上させる。アンファイナライズ状態でディスクを記録機器から取り出した場合に再生機器を用いてテキスト情報を再現させる。【解決手段】表示器１とキー操作部２とリモコン受信部３が接続されたシステム制御部４が設けられ記録再生装置の全体動作を複合的に制御する。システム制御部４は、ＣＰＵ５とＲＯＭ６とＲＡＭ７で構成されるマイコンである。システム制御部４に接続された再生記録部８は、装着される再生記録媒体９に対して再生記録動作を適正に制御する再生記録動作駆動部１０を有する。ネットワーク接続部１１は、インターネット回線を介してデータベースに接続し所望の情報を取得する。記録装置部１２はテキスト情報の一時的な格納を行なう。【選択図】　　　図１
2004103075.tif 000002
【特許請求の範囲】
【請求項１】
音声情報及び／または映像情報でなる複数のデータトラックが記録されるプログラムデータ記録領域と、リードインデータ記録領域と、リードアウトデータ記録領域とが形成され、かつテキスト情報が付加されたデータ追記型またはデータ書換可能型の情報記録媒体において、
前記テキスト情報に基づいて作成されたテキストファイルが、前記プログラムデータ記録領域の内の特定データトラックに記録されたことを特徴とする情報記録媒体。
【請求項２】
前記特定データトラックに、前記テキスト情報に基づいて作成されたテキストファイルのみが記録されたことを特徴とする請求項１に記載の情報記録媒体。
【請求項３】
前記特定データトラックは、前記プログラムデータ記録領域の内の先頭のデータトラックであることを特徴とする請求項１または請求項２に記載の情報記録媒体。
【請求項４】
音声情報及び／または映像情報でなる複数のデータトラックをプログラムデータ記録領域に記録し、リードインデータ記録領域とリードアウトデータ記録領域のそれぞれにリードインデータとリードアウトデータを記録し、かつテキスト情報を付加記録し得る情報記録装置において、
前記テキスト情報に基づいて作成されたテキストファイルが、前記プログラムデータ記録領域の内の特定データトラックに記録することを特徴とする情報記録装置。
【請求項５】
前記特定データトラックに、前記テキスト情報に基づいて作成されたテキストファイルのみを記録することを特徴とする請求項４に記載の情報記録装置。
【請求項６】
前記特定データトラックは、前記プログラムデータ記録領域の内の先頭のデータトラックであることを特徴とする請求項４に記載の情報記録装置。
【請求項７】
前記テキストファイルを記録した先頭トラックを形成し、該先頭トラックの後位に記録元トラックを形成すると共に、前記先頭トラックの前にリードインデータを記録し、前記記録元トラックの最後位にリードアウトデータを記録することを特徴とする請求項４に記載の情報記録装置。
【請求項８】
前記テキスト情報に基づいて作成されるテキストファイルは、通信回線を介してまたは直接に接続されたデータベースから取得することを特徴とする請求項４に記載の情報記録装置。
【請求項９】
前記テキスト情報に基づいて作成されるテキストファイルは、手動のキー入力によって形成されることを特徴とする請求項４に記載の情報記録装置。
【請求項１０】
音声情報及び／または映像情報でなる複数のデータトラックが記録されるプログラムデータ記録領域と、リードインデータ記録領域と、リードアウトデータ記録領域とが形成され、かつテキスト情報が付加されたデータ追記型またはデータ書換可能型の情報記録媒体を再生する情報再生装置において、
前記プログラムデータ記録領域の内の特定データトラックに記録されたデータを再生して得られた表示内容を表示器に再現させることを特徴とする情報再生装置。
【発明の詳細な説明】
【０００１】
【発明の属する技術分野】
本発明は、追記型または書換可能型の情報記録媒体、情報記録装置及び情報再生装置に関する。
【０００２】
【従来の技術】
近年、ＣＤ−Ｒ、ＤＶＤ−Ｒ等々の追記型情報記録媒体に、音声及び／または映像情報でなるプログラムデータを記録したり、ＣＤ−ＲＷ、ＤＶＤ−ＲＷ、ＤＶＤ−ＲＡＭ等々の書換可能型情報記録媒体にプログラムデータの記録を行うことが広く行われていて、パソコン機器や各種ＡＶ機器を用いて記録を行い、これと共に、当該記録済みの情報記録媒体を再生することが広く行われている。
【０００３】
このような情報記録媒体の一態様であるＣＤＤＡ（コンパクト・ディスク・デジタル・オーディオ）は、当該ディスク規格のフォーマットを用いてテキスト情報を含ませて記録することができ、他の態様の追記型ディスク並びに書換可能型ディスクにおいても、テキスト情報を含ませた記録を行うことができる。
【０００４】
しかし、追記型情報記録媒体並びに書換可能型情報記録媒体においては、通常に市販されているＣＤＤＡフォーマットのディスクへの記録領域が、図８に符号ｉのように概念的に示すように音声情報及び／または映像情報でなる複数のデータトラック、例えばトラック１〜５が記録されるプログラムデータ記録領域（コンテンツ）と、その上位に位置するリードインデータ記録領域（ＬＩＡ）と、プログラムデータ記録領域の下位に位置するリードアウトデータ記録領域（ＬＯＡ）が形成され、テキスト情報が主としてＬＩＡに記録されている。
【０００５】
これらの複数領域をディスクの内周側から外周側の物理位置に対応させると図９に符号ｉで概念的に示すように表わされ、ＬＩＡの上位に、レーザ光の出力を適正に制御するためのパワーマネジメント領域（ＰＣＡ）と、当該ＰＣＡによる光出力制御のために用いられるパワーメモリエリア（ＰＭＡ）が位置されている。
【０００６】
また、ＬＩＡ及びＬＯＡが含まれていない状態（アンファイナライズ状態）でデータメディアを記録（録音）機器から持ち出すことができ、前述のテキスト情報は図１０に示すようなアンファイナライズ状態では勿論そのテキスト情報を利用することができない。
【０００７】
即ち、図１０に符号ｋで示すアンファイナライズ状態のトラック３の次に符号ｍで示すように新しいトラック４、５を追加記録し、これと同時的に符号ｎで示すようなＴＯＣデータを含むＬＩＡデータをＰＭＡデータとトラック１の間に書き込み、これと共に最後のトラック５の次に符号ｏで示すようなＬＯＡデータを書き込むことによって符号ｐで示すようなファイナライズ状態のデータが作成され、このような記録がなされたディスクを再生することによってテキスト情報を再生することができる。
【０００８】
そして、追記型ディスク及び書換可能型ディスクに、テキスト情報を含むデータを書き込む詳しい動作は、図１１に示すフローチャートのように、先ず、ステップＳ４０において、ドライブ装置に装着されたがディスクが、ブランク、アンファイナライズ及びファイナライズのいずれであるかを識別し、ファイナライズ済と判定された場合には、次のステップＳ４１に進み、当該ディスクにデータ書き込みが可能であるか否か、即ちＣＤ−ＲとＣＤ−ＲＷのいずれであるかの判定がなされ、ＣＤ−ＲＷと判定された場合には次のステップＳ４２に進みアンファイナライズ処理が行われ、次のステップＳ４３で記録コンテンツの読み込みが開始される。
【０００９】
一方、ステップＳ４１でＣＤ−Ｒであると識別された場合には、ステップＳ４４に進んで追記不可である旨の報知等を行って一連の書き込む動作が強制終了とされる。
【００１０】
ステップＳ４３で行われる記録元コンテンツの読み込みは、ＣＤ−ＲＷに対してステップＳ４２でアンファイナライズ処理を行った場合と、ステップＳ４０にてディスクがブランクまたはアンファイナライズであると判定された場合に開始される。
【００１１】
ステップＳ４３で記録元コンテンツの読み込みが行われた後にステップＳ４５に進んで付加するテキスト情報の取得が、外部データベースからもしくは手入力等によって行われた後にステップＳ４６に進む。
【００１２】
ステップＳ４６は、当該データの書き込み終了後にファイナライズ処理を行うか否かを判定するもので、Ｎｏの場合には、ステップＳ４７に進んで記録コンテンツの書き込みを実施し一連の書き込む動作が終了とされる。
【００１３】
ステップＳ４６でＹｅｓの場合には、ステップＳ４８に進み、記録コンテンツの書き込みが行われた後にステップＳ４９に進んでＣＤテキスト情報としてＴＯＣ記録領域のサブコードを生成し、次のステップＳ５０でＣＤテキスト情報を付加するというファイナライズ処理を実施し一連の書き込む動作が終了とされる。
【００１４】
以上のようにしてテキスト情報が含まれた状態で作成されたディスクを再生機器にセットすることによって記録コンテンツ（データトラック情報）の再生を行うことができると共に、テキスト情報を表示させることができる。
【００１５】
【発明が解決しようとする課題】
従来の情報記録媒体は、コンテンツの書き込みが終了した時点で、ＰＭＡ（図９参照）にパワーキャリブレーションのためのデータと共に暫定ＴＯＣデータを書き込むことによってアンファイナライズ状態でディスクを取り出し、そのディスクを他のディスク再生機器で再生することが可能であるものの、この状態のディスクはテキスト情報が含まれていないために、再生してもテキスト情報は表示されないという不具合がある。
【００１６】
また、一旦記録したディスクに対して次回に追記する際には、ディスクにテキスト情報を保存しておく領域が無かったため、再度にテキスト情報を取得したり、またはテキスト情報をキーボード等を用いて入力しなければならず使い勝手に非常に劣るものであった。
【００１７】
そこで、本発明の目的は、テキスト情報を含ませて一旦記録したディスクに対して次回に追記を行う際に再度に亘ってテキスト情報を取得したり手入力をすること無く、追記時の新たなテキスト情報のみを記録することによって使い勝手を向上させることができ、しかも、アンファイナライズ状態でディスクを記録機器から取り出した場合に再生機器を用いてテキスト情報を再現させることができる情報記録媒体、情報記録装置及び情報再生装置を提供することにある。
【００１８】
【課題を解決するための手段】
前記課題を解決するために、本発明による情報記録媒体は、次に記載するような特徴的な構成を採用している。
【００１９】
（１）音声情報及び／または映像情報でなる複数のデータトラックが記録されるプログラムデータ記録領域と、リードインデータ記録領域と、リードアウトデータ記録領域とが形成され、かつテキスト情報が付加されたデータ追記型またはデータ書換可能型の情報記録媒体において、
前記テキスト情報に基づいて作成されたテキストファイルが、前記プログラムデータ記録領域の内の特定データトラックに記録された情報記録媒体。
【００２０】
（２）前記特定データトラックに、前記テキスト情報に基づいて作成されたテキストファイルのみが記録された上記（１）の情報記録媒体。
【００２１】
（３）前記特定データトラックは、前記プログラムデータ記録領域の内の先頭のデータトラックである上記（１）または（２）の情報記録媒体。
【００２２】
前記課題を解決するために、本発明による情報記録装置は、次に記載するような特徴的な構成を採用している。
【００２３】
（４）音声情報及び／または映像情報でなる複数のデータトラックをプログラムデータ記録領域に記録し、リードインデータ記録領域とリードアウトデータ記録領域のそれぞれにリードインデータとリードアウトデータを記録し、かつテキスト情報を付加記録し得る情報記録装置において、
前記テキスト情報に基づいて作成されたテキストファイルが、前記プログラムデータ記録領域の内の特定データトラックに記録する情報記録装置。
【００２４】
（５）前記特定データトラックに、前記テキスト情報に基づいて作成されたテキストファイルのみを記録する上記（４）の情報記録装置。
【００２５】
（６）前記特定データトラックは、前記プログラムデータ記録領域の内の先頭のデータトラックである上記（４）の情報記録装置。
【００２６】
（７）前記テキストファイルを記録した先頭トラックを形成し、該先頭トラックの後位に記録元トラックを形成すると共に、前記先頭トラックの前にリードインデータを記録し、前記記録元トラックの最後位にリードアウトデータを記録する上記（４）の情報記録装置。
【００２７】
（８）前記テキスト情報に基づいて作成されるテキストファイルは、通信回線を介してまたは直接に接続されたデータベースから取得する上記（４）の情報記録装置。
【００２８】
（９）前記テキスト情報に基づいて作成されるテキストファイルは、手動のキー入力によって形成される上記（４）の情報記録装置。
【００２９】
前記課題を解決するために、本発明による情報再生装置は、次に記載するような特徴的な構成を採用している。
【００３０】
（１０）音声情報及び／または映像情報でなる複数のデータトラックが記録されるプログラムデータ記録領域と、リードインデータ記録領域と、リードアウトデータ記録領域とが形成され、かつテキスト情報が付加されたデータ追記型またはデータ書換可能型の情報記録媒体を再生する情報再生装置において、
前記プログラムデータ記録領域の内の特定データトラックに記録されたデータを再生して得られた表示内容を表示器に再現させる情報再生装置。
【００３１】
【発明の実施の形態】
以下、本発明の一実施の形態について図面を用いて詳細に説明する。先ず、第１の実施の形態について図１ないし図４を用いて説明する。なお、本実施の形態は、情報記録媒体に対して情報記録を行う機能と情報再生を行う機能を兼ね備えた記録再生装置に本発明を適用した例である。
【００３２】
図１に示す記録再生装置は、記録再生動作のモードを表示したりテキスト情報を表示するための表示器１と、主としてテキスト情報入力用のキー操作部２と、リモコン受信部３が接続されたシステム制御部４が設けられ、システム制御部４によって記録再生装置の全体動作が複合的に制御される。
【００３３】
システム制御部４は、ＣＰＵ５とＲＯＭ６とＲＡＭ７を有する、いわゆるマイコンとして構成され、システム制御部４に接続された再生記録部８は、再生記録媒体９に対して再生記録動作を適正に制御する再生記録動作駆動部１０が設けられている。
【００３４】
システム制御部４にネットワーク接続部１１と記録装置部１２が接続され、ネットワーク接続部１１は、インターネット回線を介してデータベースに接続し所望の情報を取得するためのもので、記録装置部１２は、ハードディスクドライブ（ＨＤＤ）や不揮発性メモリ等で構成され動作は後述のテキスト情報の一時的な格納を行なうためのものである。なお、符号１３は、システム制御部４における制御動作の基準となるクロック信号を作り出すための発振子１３である。
【００３５】
以上のように構成された記録再生装置において、１回目の書き込み作業（追記作業）を行う動作を図２に示す概念図を用いて説明すると、符号ａで示すように再生記録媒体９に記録元ＣＤＤＡトラックのトラック１〜３データは、実際に書き込む際のトラック構成（符号ｂ）の後部に位置され、その前部には、データトラック／テキスト情報（符号ｃ）がトラック１とされ、符号ａのトラック１〜３データがトラック２〜４に変更され、この状態でトラック５とトラック６が追加されると符号ｄに示すようにトラック１〜６トラック１の前にＴＯＣ情報を含んだＬＩＡ（符号ｅ）が付加され、トラック６の後位にＬＯＡ（符号ｆ）が付加され、ファイナライズ処理が行われることによって符号ｇで示すようにトラック１〜６でなるデータトラックの前位にＬＩＡが位置され後位にＬＯＡが位置されたファイナライズ状態のディスクが作成されるのである。
【００３６】
さて、ブランクＣＤ−ＲまたはＣＤ−ＲＷのディスクにテキスト情報を記録する動作は、図３に示すフローチャートのように、先ずステップＳ１でブランクディスクが再生記録部８に装着されると、システム制御部４によって制御される再生記録動作駆動部１０によって回転制御と信号記録制御が行われ、次のステップＳ２で記録元コンテンツの読み込みが開始され、ステップＳ３に進んで付加するテキスト情報の取得が、ネットワーク接続部１１を介して接続された外部データベースからもしくはキー操作部２によって所望のテキスト情報を手入力によって行われた後にステップＳ４に進む。
【００３７】
ステップＳ４は、当該データの書き込み終了後にファイナライズ処理を行うか否かを判定するもので、Ｙｅｓの場合には、ステップＳ５に進み、記録コンテンツの書き込みが行われた後にステップＳ６に進んでＣＤテキスト情報としてＴＯＣ記録領域のサブコードを生成し、次のステップＳ７でＣＤテキスト情報を付加するというファイナライズ処理を実施し一連の書き込む動作が終了とされ、記録済みのディスクが完成する。
【００３８】
一方、ステップＳ４でファイナライズ処理を行なわないと判定された場合（Ｎｏの場合）には、ステップＳ８に進んでテキスト情報のファイルを作成し、このファイルを第１トラックとして付加し記録コンテンツの書き込みを実施した後に一連の書き込む動作が終了とされ、記録済みのディスクが完成する。
【００３９】
次に、既にコンテンツが記録されているアンファイナライズ状態のＣＤ−ＲまたはＣＤ−ＲＷのディスクへの追記動作について図４に示すフローチャートを用いて説明する。先ずステップＳ９でアンファイナライズ状態のディスクが再生記録部８に装着されると、システム制御部４によって制御される再生記録動作駆動部１０によって回転制御と信号記録制御が行われ、次のステップＳ１０では、既に記録されているコンテンツの情報の読み込みが再生記録部８を用いて行われ、読み込まれたデータが記録装置部１２に保存される。
【００４０】
本発明を用いて記録されたディスクは第１トラックにコンテンツ情報を記載したテキストファイルが含まれていて、このデータトラックにおいて目的のテキストファイルの格納されているアドレス位置は、通常のデータＣＤと同様に図７に符号ｈでデータ内容を概念的に示すＩＳＯ−９６６０に準拠したものであるので、たとえＴＯＣが無い状態のデータ列であってもテキストファイルのアドレスは取得することができ、既に記録されているコンテンツ情報を取得することができる。
【００４１】
そして、ステップＳ１１に進んで記録元コンテンツの読み込みが行われた後にステップＳ１２に進んで付加するテキスト情報の取得が、ネットワーク接続部１１を介して接続された外部データベースからもしくはキー操作部２によって所望のテキスト情報が手入力によって行われた後にステップＳ１３に進む。
【００４２】
ステップＳ１３は、当該データの書き込み終了後にファイナライズ処理を行うか否かを判定するもので、Ｙｅｓの場合には、ステップＳ１４に進み、記録コンテンツの書き込みが行われた後にステップＳ１５に進む。
【００４３】
ステップＳ１５は、既に記録装置部１２に保存されているコンテンツ情報からテキスト情報を含んだサブコードを生成するもので、そして既に書き込まれているデータトラックは、通常は必要のないトラックとなるために次のステップＳ１６でＣＤテキスト情報を付加すると同時的に第１トラックにスキップポインタを打ってファイナライズ処理を行ない記録済みのディスクが完成する。
【００４４】
一方、ステップＳ１３でファイナライズ処理を行なわないと判定された場合（Ｎｏの場合）には、ステップＳ１７に進んで、再生記録部８に装着されているディスクがＣＤ−ＲであるかＣＤ−ＲＷの判定がなされ、ＣＤ−ＲＷであると判定された場合には、ステップＳ１８に進んでメディアに含まれるＣＤＤＡコンテンツの読み込みを実施し、今回に追加されるコンテンツと併せて保存し、メディアの消去を実施し、ステップＳ１９に進む。
【００４５】
ステップＳ１９は、全てのトラックのコンテンツ情報を再生成し、テキストファイルとして第１トラックに付加し第２トラック以降にＣＤＤＡとして記録し、ＰＭＡ記録領域に暫定のＴＯＣを書き込んで一連の書き込む動作が終了とされ、追加記録済みのディスクが完成する。
【００４６】
なお、ステップＳ１７による判定で、再生記録部８に装着されているディスクがＣＤ−Ｒであると判定された場合には、ＣＤ−ＲＷの場合のように第１トラックに含まれるテキストファイルを書き替えることが不可能であるために、コンテンツ情報は更新されず、ステップＳ２０に進められて単純に新たなＣＤＤＡコンテンツの書き込み（追記）のみが実施された状態の追加記録済みのディスクが完成する。
【００４７】
次に、既にファイナライズ処理が行われている状態のＣＤ−ＲまたはＣＤ−ＲＷのディスクへの追記動作について図５に示すフローチャートを用いて説明する。先ずステップＳ２１でファイナライズ状態のディスクが再生記録部８に装着されると、システム制御部４によって制御される再生記録動作駆動部１０によって回転制御と信号記録制御が行われ次のステップＳ２２で再生記録部８に装着されているディスクがＣＤ−ＲであるかＣＤ−ＲＷの判定がなされ、ＣＤ−ＲＷであると判定された場合には、ステップＳ２３に進んで現在のファイナライズ状態をアンファイナライズ状態に変更する処理が行われる。
【００４８】
一方、ステップＳ２２において再生記録部８に装着されているディスクがＣＤ−Ｒであると判定された場合には、ファイナライズ状態をアンファイナライズ状態に変更することは不可能であるためにステップＳ２４に進み追記動作は強制的に打ち切られてしまう。
【００４９】
ステップＳ２３によって現在のファイナライズ状態をアンファイナライズ状態に変更する前には、ディスクに含まれるテキスト情報を取得し記録装置部１２に保存する動作が実行される。
【００５０】
ステップＳ２３の次に実行されるステップＳ２５は、既に記録されているコンテンツの情報の読み込みが再生記録部８を用いて行われ、読み込まれたデータが記録装置部１２に保存される。
【００５１】
本発明を用いて記録されたディスクは第１トラックにコンテンツ情報を記載したテキストファイルが含まれていて、このデータトラックにおいて目的のテキストファイルの格納されているアドレス位置は、通常のデータＣＤと同様に図７に符号ｈでデータ内容を概念的に示すＩＳＯ−９６６０に準拠したものであるので、たとえＴＯＣが無い状態のデータ列であってもテキストファイルのアドレスは取得することができ、既に記録されているコンテンツ情報を取得することができる。
【００５２】
そして、ステップＳ２６に進んで記録元コンテンツの読み込みが行われた後にステップＳ２７に進んで付加するテキスト情報の取得が、ネットワーク接続部１１を介して接続された外部データベースからもしくはキー操作部２によって所望のテキスト情報が手入力によって行われた後にステップＳ２８に進む。
【００５３】
ステップＳ２８は、当該データの書き込み終了後にファイナライズ処理を行うか否かを判定するもので、Ｙｅｓの場合には、ステップＳ２９に進み、既に第１トラックに書き込まれているテキストファイルと、新たに追加されたコンテンツ情報からＣＤテキストとしてＴＯＣ領域のサブコードを生成し、ステップＳ３０に進む。
【００５４】
なお、ディスクに既に書き込まれているデータトラックは、通常は必要のないトラックとなるために次のステップＳ３０でＣＤテキスト情報を付加すると同時的に第１トラックにスキップポインタを打ってファイナライズ処理を行ない記録済みのディスクが完成する。
【００５５】
一方、ステップＳ２８でファイナライズ処理を行なわないと判定された場合（Ｎｏの場合）には、ステップＳ３１に進んで、メディアに含まれるＣＤＤＡコンテンツの読み込みを実施し、今回に追加されるコンテンツと併せて保存し、メディアの消去を実施してステップＳ３２に進む。
【００５６】
ステップＳ３２は、全てのトラックのコンテンツ情報を再生成し、テキストファイルとして第１トラックに付加し第２トラック以降にＣＤＤＡとして記録し、ＰＭＡ記録領域に暫定のＴＯＣを書き込んで一連の書き込む動作が終了とされ、追加記録済みのディスクが完成する。
【００５７】
次に、アンファイナライズ状態のディスクを再生記録部８に装着し、再生することによってテキスト情報を表示する動作について図６に示すフローチャートを用いて説明する。最初のステップＳ３３で再生記録部８にアンファイナライズ状態のディスクが装着されると、次のステップＳ３４でＰＭＡ領域の読み込みが開始され、複数トラックのそれぞれの開始アドレス位置、終了アドレス位置、スキップ情報、アンスキップ情報等々の取得が開始されステップＳ３５に進む。
【００５８】
ステップＳ３５は、ディスクの第１トラックがデータ記録されたトラックであるのかコード記録されたトラックであるのかを判定するもので、データ記録されていると判定された場合（Ｙｅｓの場合）にはステップＳ３８に進んでテキスト情報の読み込みが実行され、具体的には、第１トラックの記録がデータである場合に、その開始位置から図７に符号ｈで示すように論理ブロック（ＬＢＮ）の１６番目に位置するプライマリー・ボリューム・ディスクリプタ（ＰＶＤ）にアクセスし第１トラックに含まれるテキストファイルの読み込みを実施し、そのテキストファイルから得られたテキスト情報を記録装置部１２に格納し、停止・再生状態にあった表示を次のステップＳ３９で表示器１（図１参照）を用いて開始され、表示完了したときに一連動作が終了とされる。
【００５９】
なお、今まで説明した情報記録媒体は、データトラックに対してスキップポインタを打つようにしているが、特にスキップポインタで該当トラックをスキップするように指定しなくてもよい。
【００６０】
書換可能型の情報記録媒体において、コンテンツの追記時に第１トラックのデータを書き替えるために一度全てのコンテンツの消去を実施しているが、可能であるならば第１トラックに含まれるテキストファイルの書き替えのみを実施してもよい。この場合には、例として第１トラックに含まれるテキストファイルのファイルサイズが常に一定となるように、含まれる本来の文字列の最後もしくは最初にスペース文字を挿入することが考えられる。
【００６１】
テキスト情報の表示は、ファイナライズした段階で表示するのでは無く、第１トラックの有するテキスト情報が最終的に書き込まれたコンテンツの内容に書き替えるのであれば、そのテキストファイルに含まれる内容を表示しても表示内容としては同一になるので動作的にはＣＤテキストではなくテキストファイルを表示してもよい。
【００６２】
【発明の効果】
以上の説明で明らかなように、本発明によれば、テキスト情報を含ませて一旦記録したディスクに対して次回に追記を行う際に再度に亘ってテキスト情報を取得したり手入力をすること無く、追記時の新たなテキスト情報のみを記録することによって使い勝手を向上させることができ、しかも、アンファイナライズ状態でディスクを記録機器から取り出した場合に再生機器を用いてテキスト情報を再現させることができる情報記録媒体、情報記録装置及び情報再生装置を提供することができる。
【図面の簡単な説明】
【図１】本発明の一実施の形態による情報記録再生装置のブロック回路図である。
【図２】図１に示す情報記録再生装置を用いてディスクに記録を行う基本動作を概念的に示す図である。
【図３】図１に示す情報記録再生装置を用いてブランクディスクに記録を行う動作を説明するためのフローチャートである。
【図４】図１に示す情報記録再生装置を用いてアンファイナライズ状態のディスクに記録を行う動作を説明するためのフローチャートである。
【図５】図１に示す情報記録再生装置を用いてファイナライズ状態のディスクに記録を行う動作を説明するためのフローチャートである。
【図６】図１に示す情報記録再生装置を用いてアンファイナライズ状態のディスクを再生する動作を説明するためのフローチャートである。
【図７】ＩＳＯ−９６６０のデータを概念的に示す図である。
【図８】ＣＤＤＡフォーマットのデータを概念的に示す図である。
【図９】ＣＤ−Ｒ、ＣＤ−ＲＷのデータ構造を概念的に示す図である。
【図１０】ＣＤ−Ｒ、ＣＤ−ＲＷのファイナライズ動作を概念的に示す図である。
【図１１】従来のテキスト追記動作の一例を説明するためのフローチャートである。
【符号の説明】
１　表示器
２　キー操作部
３　リモコン受信部
４　システム制御部
５　ＣＰＵ
６　ＲＯＭ
７　ＲＡＭ
８　再生記録部
９　再生記録媒体
１０　再生記録動作駆動部
１１　ネットワーク接続部
１２　記録装置部
１３　発振子
【図１】
2004103075.tif 000003
【図２】
2004103075.tif 000004
【図３】
2004103075.tif 000005
【図４】
2004103075.tif 000006
【図５】
2004103075.tif 000007
【図６】
2004103075.tif 000008
【図７】
2004103075.tif 000009
【図８】
2004103075.tif 000010
【図９】
2004103075.tif 000011
【図１０】
2004103075.tif 000012
【図１１】
2004103075.tif 000013